(57)【特許請求の範囲】
【請求項１】
エレベータの乗りかごが到着するエレベータ乗り場に設けられる表示部と、
前記表示部に組み合わされてタッチパネルを構成する操作部と、
通常動作時は所望の階に移動するために前記乗りかごを呼び出すかご呼び登録ボタンを前記表示部に表示させる通常状態表示制御部と、
災害を検出して災害信号を発生する災害信号発生源から災害信号を受信したら、前記かご呼び登録ボタンに代えて、避難階へ避難移動するために前記乗りかごを呼び出すための救助要請ボタンを前記表示部に表示させる救助要請状態表示制御部と
を具備する、エレベータ用乗り場操作盤。
【請求項２】
更に、
前記通常動作時は前記操作部を通じて前記かご呼び登録ボタンが操作されたことを検出する通常状態操作制御部と、
前記災害信号を受信したら、前記操作部を通じて前記救助要請ボタンが操作されたことを検出する救助要請状態操作制御部と、
前記救助要請状態操作制御部から前記救助要請ボタンが操作されたことを検出して、前記乗りかごを呼び出すために前記乗りかごの駆動を制御するエレベータ制御盤に救助要請信号を送信する救助要請信号送信部と
を具備し、
前記表示部に表示された前記救助要請ボタンが操作されると、前記救助要請状態表示制御部は前記前記救助要請ボタンをより明るく表示する
請求項１記載のエレベータ用乗り場操作盤。
【請求項３】
更に、
前記エレベータ乗り場に設けられる人感センサと
を具備し、
前記救助要請信号送信部は、前記人感センサが人の存在を検出したことに呼応して、前記エレベータ制御盤に前記救助要請信号を送信する、
請求項２記載のエレベータ用乗り場操作盤。
【発明の詳細な説明】
【技術分野】
【０００１】
本発明は、エレベータ用乗り場操作盤に関する。
より詳細には、災害発生時にエレベータ自身が積極的に救助活動を行う特殊運転モードを備えるエレベータシステムのエレベータ用乗り場操作盤に関する。
【背景技術】
【０００２】
従来のエレベータは、火災等の災害を感知した場合、即座に最寄りの階に停止して乗客を降ろさせて、そのまま運転を停止するものであった。
このような従来のエレベータは、火災時管制運転という動作モードを備えている。火災時管制運転とは、火災を感知したらエレベータのかご内操作盤はそれまで予約されていた階への運転を中止して、直ちに１階等の避難階へ直通運転し、乗客を降ろして戸閉し休止状態となる、という運転である。当然、この火災時管制運転において、かご内操作盤は乗客の行き先階指定ボタンの操作を一切受け付けない。
【０００３】
なお、本発明に関係する技術内容として、特許文献１、特許文献２及び特許文献３を示す。
特許文献１には、地震や火災が発生すると、エレベータが管制運転に切り替わったことをエレベータ乗り場の呼びボタンに表示させ、エレベータを待つ利用者に対して避難階段による避難を促す技術内容が開示されている。
また特許文献２及び特許文献３には、タッチパネルに特殊運転モードへ切り替えるためのボタンを表示させて、ボタン操作により運転モードを切替える技術内容が開示されている。
【先行技術文献】
【特許文献】
【０００４】
【特許文献１】特開２００８−３７６１２号公報
【特許文献２】特開２００６−２８２３０８号公報
【特許文献３】特開平１０−１８２０２５号公報
【発明の概要】
【発明が解決しようとする課題】
【０００５】
前述した従来のエレベータは、災害発生時にエレベータが管制運転を行っていることを表示し、階段による避難を促すものであり、車いす利用者や高齢者等の自力で避難することが困難な人は、救助者の到着を待たなければ救助することができない。
また、前述の従来技術には、自力で避難することが困難な人がいる場所を把握する手段がなく、救助者による支援が困難であった。
【０００６】
本発明はかかる課題を解決し、災害発生時に自力で避難することが困難な人がいる場所を救助者に把握させ、速やかに避難することができるエレベータシステムを提供することを目的とする。
【０００７】
また、前述した従来のエレベータにおいて、車いす利用者や高齢者等の自力で避難することが困難な要救助者は、消防隊員の到着を待たなければ救助することができない。災害緊急情報をかご内で見ることはできても、実際にタッチパネルでの操作は行先階登録のみであった。
更に、タッチパネルに表示した特殊運転切替ボタンは常に表示されているものであり、火災等の感知をトリガーにして運転切替ボタンを表示させるような機能は備えられていなかった。
【０００８】
本発明はかかる課題を解決し、災害発生時に自力で避難することが困難な人がいる場所を救助者に把握させ、速やかに避難させることができるエレベータ用乗り場操作盤を提供することを目的とする。
【課題を解決するための手段】
【０００９】
上記課題を解決するために、本発明のエレベータ用乗り場操作盤は、エレベータの乗りかごが到着するエレベータ乗り場に設けられる表示部と、表示部に組み合わされてタッチパネルを構成する操作部と、通常動作時は所望の階に移動するために乗りかごを呼び出すかご呼び登録ボタンを表示部に表示させる通常状態表示制御部とを備える。
そして、救助要請状態表示制御部は、災害を検出して災害信号を発生する災害信号発生源から災害信号を受信したら、避難階へ避難移動するために乗りかごを呼び出すための救助要請ボタンを表示部に表示させる。
【００１０】
本発明のエレベータシステムは、乗り場操作盤がタッチパネルにて構成されている。乗り場操作盤は災害信号発生源から災害信号を受信するまでは、かご呼び登録ボタンを表示しているが、災害信号を受信したら、避難階へ避難移動するために乗りかごを呼び出すための救助要請ボタンを表示部に表示させる。
【発明の効果】
【００１１】
本発明により、災害発生時に自力で避難することが困難な人がいる場所を救助者に把握させ、速やかに避難させることができるエレベータ用乗り場操作盤を提供できる。
【図面の簡単な説明】
【００１２】
【図１】本発明の一実施形態である、エレベータシステムの概略ブロック図である。
【図２】本発明の一実施形態である、エレベータシステムのネットワーク構成図である。
【図３】乗り場操作盤のハードウェア構成を示すブロック図である。
【図４】かご内操作盤のハードウェア構成を示すブロック図である。
【図５】避難階操作盤のハードウェア構成を示すブロック図である。
【図６】防災情報処理装置のソフトウェアの機能を示すブロック図である。
【図７】監視カメラのソフトウェアの機能を示すブロック図である。
【図８】乗り場操作盤の機能ブロック図である。
【図９】乗り場操作盤の状態遷移図である。
【図１０】乗り場操作盤の動作の流れを示すフローチャートである。
【図１１】エレベータ乗り場の外観図である。
【図１２】乗り場操作盤の表示内容の一例を示す外観図である。
【図１３】かご内操作盤の機能ブロック図である。
【図１４】かご内操作盤の状態遷移図である。
【図１５】かご内操作盤の動作の流れを示すフローチャートである。
【図１６】災害運転処理の動作の流れを示すフローチャートである。
【図１７】乗りかごの内部の外観図である。
【図１８】かご内操作盤の表示内容の一例を示す外観図である。
【図１９】避難階操作盤の機能ブロック図である。
【図２０】避難階操作盤の状態遷移図である。
【図２１】避難階操作盤の動作の流れを示すフローチャートである。
【図２２】災害運転処理の動作の流れを示すフローチャートである。
【図２３】避難階におけるエレベータ乗り場の外観図である。
【図２４】避難階操作盤の表示内容の一例を示す外観図である。
【発明を実施するための形態】
【００１３】
［概要］
従来のエレベータは、火災等の災害を感知した場合、即座に最寄りの階に停止して乗客を降ろして、そのまま運転を停止するものであった。
近年、ビルは耐火性能や耐震性能等が向上している。更に、エレベータ自体も耐火性能や耐震性能等、災害時の耐災害性能が向上しており、耐災害性能の実績も認められる。その一方で、老人や身体障害者等の、階段を降りる避難行動が困難な人が存在する。
こういった事情を受け、発明者らは、エレベータを災害時に使用しない、というこれまでの常識から発想を転換し、逆にエレベータを積極的に災害救助活動に利用することを考えた。
【００１４】
火災や地震等の災害発生時、ビル内には、各階に留まっている人と、エレベータのかご内に留まっている人が居る。
各階に留まっている人のうち、避難行動が困難な救助対象者は、速やかにエレベータに乗って貰い、１階等の避難階まで運転し、避難階で降ろす。
エレベータのかご内に留まっている人も同様に、そのまま避難階まで運転し、避難階で降ろす。
このような動作を実現するため、乗り場操作盤はタッチパネルを備えるマイコンで構成し、災害信号を受信したらエレベータ呼びボタンとしての機能ではなく、救助要請ボタンのみを表示する「救助要請待ちモード」と、救助要請ボタンが押されたら防災センターへ階数情報を伴って救助要請信号を送信する「救助要請モード」を設けた。
更に、防災センターが実際の乗り場の状況を詳細に把握できるようにするため、乗り場操作盤には監視カメラとインターホンが設けられているとなお良い。
【００１５】
また、エレベータに専門の避難訓練を受けた従業員に乗って貰い、従業員がエレベータを能動的に運転すると、救助活動を迅速且つ確実に遂行できることが期待できる。その際、エレベータは従業員又は消防署員等、専門の担当者のみが運転できるように構成されている必要がある。
このような動作を実現するため、かご内操作盤はタッチパネルを備えるマイコンで構成し、災害信号を受信したら行き先階指定ボタンとしての機能ではなく、専門操作者のみ操作を許可するためのログイン画面を表示する「特殊運転モード」と、ログインが成功したら救助のための機能を利用可能なメニュー画面を表示する「救助運転モード」を設けた。
更に、かご内の専門操作者が実際の乗り場の状況を詳細に把握できるようにするため、かご内操作盤にはインターホンが設けられていて、乗り場操作盤に設けられているインターホンと会話ができるとなお良い。
更に、かご内の専門操作者が実際の乗り場の状況を詳細に把握できるようにするため、かご内操作盤は乗り場操作盤に設けられている監視カメラの映像を選択的に表示できるとなお良い。
【００１６】
ところで、避難階は救助対象者が到達すべき目的地であるので、避難階の乗り場操作盤（以下「避難階操作盤」）は、他の階の乗り場操作盤と異なり、救助要請ボタンのみを表示する「救助要請待ちモード」や、防災センターへ階数情報を伴って救助要請信号を送信する「救助要請モード」を設ける必要はない。一方、エレベータに従業員又は消防署員等、専門の担当者が乗る際には、多くの場合避難階から乗ることになるが、避難階から誰でもエレベータに乗り込める状態であってはならない。
そこで、避難階操作盤にも、前述のかご内操作盤と同様の、ログイン画面を表示する「特殊運転モード」と、ログインが成功したらかごの到着を待つ旨のメッセージを表示して待機する「かご待機モード」を設けた。
【００１７】
前述のように乗り場操作盤、避難階操作盤及びかご内操作盤が高機能化することと、被災状況を確認したり救助対象者との連絡を行うために音声及び動画像といったリッチコンテンツを扱う必要性が生じるので、これまでの旧式のスイッチとランプのみの操作盤では到底要求を満たすことはできない。通常運転モードと、災害時の運転モードでは、使用するボタンが全く異なるので、これまでの固定形状の押しボタンでは要求仕様を実現できない。
そこで、通常運転モードや災害時の運転モード等、運転モードが異なっても柔軟に対応できるように、乗り場操作盤及びかご内操作盤はタッチパネルを具備するマイコンで構成した。
【００１８】
更に、リッチコンテンツを扱うので、従来の階数の情報を伝達するだけの信号線では役不足である。そこで、乗り場操作盤及びかご内操作盤を含めた、エレベータシステムの主要構成要素をネットワーク機器として構成した。本実施形態では、極めて周知且つ広く普及しているＴＣＰ／ＩＰを、エレベータシステムを構成するネットワークとして採用した。動画像や音声といったリッチコンテンツを扱うための技術及び機器は、周知のインターネットにおいて既に広く普及しているので、前述のような要求仕様を低価格で実現することができる。勿論、従来のエレベータシステムに必須の信号も、ＴＣＰ／ＩＰネットワークに包含することは容易に可能であるし、従来の信号線を残したままリッチコンテンツのみをＴＣＰ／ＩＰネットワークに通す形態でも良い。
本実施形態のエレベータシステムは、ＴＣＰ／ＩＰネットワークであるＬＡＮに、乗り場操作盤、避難階操作盤とかご内操作盤、そして防災センターと監視カメラが接続されている。そして、各々の機器はシステム起動時や定期的な情報更新時を除き、基本的に独立して動作し、特定の機器に制御や情報の流れが集中しない。したがって、高機能でありながら耐障害性の高いエレベータシステムを低コストで容易に実現できる。
【００１９】
［システムの全体構成］
図１は、本発明の一実施形態である、エレベータシステムの概略ブロック図である。
エレベータシステム１０１は、エレベータ装置１０２と、エレベータ装置１０２に接続される防災センター１０３で構成されている。
エレベータ装置１０２は、乗りかご１０４と、釣り合いおもり１０５と、巻上機１０６と、エレベータ制御盤１０７と、乗り場操作盤１０８と、避難階操作盤１１６で構成される。
エレベータ装置１０２において、乗りかご１０４と釣り合いおもり１０５は、図示しないガイドレールに沿って昇降する。
乗りかご１０４と釣り合いおもり１０５は、モータである巻上機１０６を介して主ロープ１０９でつるべ式に懸垂され、エレベータ制御盤１０７の制御に従い、昇降路内を上下に駆動される。
乗りかご１０４の中には行き先階を指定する操作ボタンを備える、かご内操作盤１１０が設けられている。かご内操作盤１１０はテールコード１１１を通じてエレベータ制御盤１０７に接続されている。
乗りかご１０４の停止階の壁には、乗り場操作盤１０８が設けられている。乗り場操作盤１０８はエレベータ制御盤１０７に接続されている。
乗りかご１０４の避難階の壁には、避難階操作盤１１６が設けられている。避難階操作盤１１６も乗り場操作盤１０８と同様に、エレベータ制御盤１０７に接続されている。
【００２０】
一方、ビルの各階には、火災報知器、煙感知器、地震感知器等の災害感知器１１２と、監視カメラ１１３が設けられている。
また、ビルの１階等には、災害感知器１１２の情報を一括管理している防災センター１０３が設けられている。防災センター１０３の主体は防災情報処理装置２０１であり、防災情報処理装置２０１は概ねパソコンそのものか、或は類似する電子計算機である。災害感知器１１２は防災情報処理装置２０１に周辺機器として接続される。
災害感知器１１２が災害状態を検出することによって発生する信号は、一旦防災センター１０３が受信する。そして、防災センター１０３は災害信号をエレベータ制御盤１０７へ送信する。エレベータ制御盤１０７は、受信した災害信号を各階の乗り場操作盤１０８へ発信する。災害信号は、災害が発生した旨を示す情報と、災害の種類と、火災であれば当該災害が発生した階或はより詳細な場所を含む。エレベータ装置１０２の立場で見ると、防災情報処理装置２０１と災害感知器１１２は、災害を検出して災害信号を発生する災害信号発生源と見ることができる。
なお、防災センター１０３が直接、エレベータ制御盤１０７及び乗り場操作盤１０８へ災害信号を同時発信することも可能である。この点については後述する。
【００２１】
乗り場操作盤１０８には人感センサ１１４が接続されている。人感センサ１１４は図１１に示すように、乗り場周辺にいる人、つまり救助対象者を検出するために、乗り場の、乗り場操作盤１０８よりやや高い位置に設けられている。
乗り場操作盤１０８はタッチパネルを構成するマイコンであり、人感センサ１１４はそのマイコンの周辺機器として乗り場操作盤１０８に接続される。各階の乗り場操作盤１０８はエレベータ制御盤１０７に接続されている。
【００２２】
一方、避難階操作盤１１６には人感センサ１１４は接続されていない。人感センサ１１４は救助対象者を検出するために設けられるセンサであるので、避難階には不要である。
避難階操作盤１１６も乗り場操作盤１０８と同様の、タッチパネルを構成するマイコンであり、また各階の乗り場操作盤１０８と同様に、エレベータ制御盤１０７に接続されている。
【００２３】
乗り場操作盤１０８及び避難階操作盤１１６とエレベータ制御盤１０７との接続は、二種類の形態が存在する。
一つは、従来と同様の、エレベータ呼びボタンとしての信号のみ伝送する信号線に加えて、周知のＬＡＮケーブル２０２を通じてリッチコンテンツ等の情報を伝送する形態である。
もう一つは、エレベータ呼びボタンとしての信号もＴＣＰ／ＩＰのパケットに変換して、ＬＡＮケーブル２０２のみで全ての情報を伝送する形態である。
本実施形態では説明を容易にするため、後者のＬＡＮケーブル２０２のみの形態で説明する。
【００２４】
［ネットワークの構成］
図２は、本発明の一実施形態である、エレベータシステム１０１のネットワーク構成図である。
防災センター１０３の防災情報処理装置２０１と、監視カメラ１１３と、乗り場操作盤１０８と、避難階操作盤１１６と、かご内操作盤１１０と、エレベータ制御盤１０７は、ＴＣＰ／ＩＰネットワークのＬＡＮに接続されるホスト（ネットワーク機器）である。各々のネットワーク機器は、ＬＡＮケーブル２０２を通じて接続される。
災害感知器１１２は防災情報処理装置２０１に周辺機器として接続される。
防災情報処理装置２０１は、周知のＤＨＣＰサーバとＤＮＳサーバが稼働する。監視カメラ１１３と、乗り場操作盤１０８と、かご内操作盤１１０と、エレベータ制御盤１０７は、図示しないＤＨＣＰクライアントが稼働する。
防災情報処理装置２０１には、監視カメラ１１３、乗り場操作盤１０８、避難階操作盤１１６、かご内操作盤１１０とエレベータ制御盤１０７のホスト名とＩＰアドレスを関連付けるリストを内包し、ＤＮＳサーバはこのリストに基づいて名前解決を実施する。
【００２５】
なお、本実施形態のエレベータシステム１０１では、ネットワークに接続される各ホストはＤＨＣＰにてＩＰアドレスを取得する方法を採用しているが、ホストにＩＰアドレスを付与する方法はこれに限られない。極小規模なビルであればＤＨＣＰを用いずに固定のＩＰアドレスを手動にて設定してもよいし、ＤＨＣＰに代えてＡｕｔｏＩＰと呼ばれるＲＦＣ５７３５（http://tools.ietf.org/html/rfc5735）に開示されるＩＰアドレスの自動付与方式を採用してもよい。
【００２６】
［乗り場操作盤１０８及びかご内操作盤１１０：ハードウェアの構成］
図３は、乗り場操作盤１０８のハードウェア構成を示すブロック図である。
乗り場操作盤１０８はマイコン３０１よりなる機器である。マイコン３０１にはＬＣＤよりなる表示部３０２、ＬＣＤの表面を覆う透明電極の操作部３０３が接続され、表示部３０２と操作部３０３が重なって組み合わされることでタッチパネルを構成する。この他、マイコン３０１にはマイク３０４、スピーカ３０５、撮像素子３０６、人感センサ１１４、ＲＯＭデータである階数情報記憶部３０７、防災情報処理装置２０１のホスト名が記憶されている防災センター記憶部３０８が接続されている。
【００２７】
図４は、かご内操作盤１１０のハードウェア構成を示すブロック図である。
かご内操作盤１１０も乗り場操作盤１０８と同様の、マイコン４０１よりなる機器である。
マイコン４０１にはＬＣＤよりなる表示部６０２、ＬＣＤの表面を覆う透明電極の操作部６０３が接続され、表示部６０２と操作部６０３が重なって組み合わされることでタッチパネルを構成する。
この他、マイコン４０１にはマイク３０４、スピーカ３０５、ＲＯＭデータである識別情報記憶部４０４が接続されている他、防災情報処理装置２０１、監視カメラ１１３、乗り場操作盤１０８及び避難階操作盤１１６のホスト名が記憶されているホスト名記憶部４０５も接続されている。
乗り場操作盤１０８と比べると、かご内操作盤１１０は撮像素子３０６と人感センサ１１４がない以外、ハードウェア構成は乗り場操作盤１０８と殆ど変わらない。
但し、乗り場操作盤１０８は防災センター記憶部３０８で防災センター１０３のホスト名を記憶しているが、かご内操作盤１１０は乗り場操作盤１０８のホスト名と階数とを把握できている必要があるので、防災センター記憶部３０８ではなくホスト名記憶部４０５となっている。何故ならば、かご内操作盤１１０は、各階の乗り場操作盤１０８のインターホン機能でエレベータ乗り場１１５に留まっている救助対象者と会話連絡したり、撮像素子３０６の映像を確認する機能を有するからである。
【００２８】
図５は、避難階操作盤１１６のハードウェア構成を示すブロック図である。
避難階操作盤１１６はマイコン５０１よりなる機器である。マイコン５０１にはＬＣＤよりなる表示部３０２、ＬＣＤの表面を覆う透明電極の操作部３０３が接続され、表示部３０２と操作部３０３が重なって組み合わされることでタッチパネルを構成する。
この他、マイコン４０１にはマイク３０４、スピーカ３０５、ＲＯＭデータである識別情報記憶部４０４が接続されている他、防災情報処理装置２０１、監視カメラ１１３、乗り場操作盤１０８及び避難階操作盤１１６のホスト名が記憶されているホスト名記憶部４０５も接続されている。
乗り場操作盤１０８と比べると、避難階操作盤１１６は撮像素子３０６と人感センサ１１４がない以外、ハードウェア構成は乗り場操作盤１０８と殆ど変わらない。むしろ、かご内操作盤１１０に極めて近い。但し、乗り場操作盤１０８は避難階操作盤１１６は防災センター１０３のホスト名を記憶する他、かご内操作盤１１０のホスト名と階数とを把握できている必要があるので、かご内操作盤１１０と同様のホスト名記憶部４０５となっている。何故ならば、避難階操作盤１１６は、かご内操作盤１１０のインターホン機能で乗りかご１０４の乗客（救助対象者）と会話連絡する機能を有するからである。
【００２９】
［防災センター１０３及び監視カメラ１１３：ソフトウェアの機能］
図６は、防災情報処理装置２０１のソフトウェアの機能を示すブロック図である。
図示しないネットワークインターフェースを内包する入出力制御部６０１は、ネットワークと情報の送受信を司る。
入出力制御部６０１には、ディスプレイである表示部６０２と、キーボード及びマウス等のポインティングデバイスである操作部６０３が接続されている。
更に、入出力制御部６０１には、ネットワーク上のホストに動的にＩＰアドレスを含むネットワーク構成情報を配布する周知のＤＨＣＰサーバ６０４と、ネットワーク上のホストから送信される名前解決要求に対して、ホスト名に対応するＩＰアドレスを返答する周知のＤＮＳサーバ６０５が接続され、稼働する。ＤＮＳサーバ６０５は、ホスト名リスト６０６に基づいて名前解決作業を実施する。
【００３０】
ホスト名リスト６０６は、ＩＰアドレスとホスト名と属性情報のフィールドを備えるリストである。
エレベータシステム１０１のＬＡＮケーブル２０２（ネットワーク）上に存在するネットワーク機器は、ネットワーク機器自身が起動する際と、待機状態において一定時間毎に、ホスト名と属性情報を防災情報処理装置２０１へ送信する。防災情報処理装置２０１はこれを受信することで、ホスト名リスト６０６にレコードを登録し、ＩＰアドレスとホスト名と属性情報との紐付けを完遂する。ホスト名リスト６０６が存在することで、どのＩＰアドレスが乗り場操作盤１０８なのか、避難階操作盤１１６なのか、かご内操作盤１１０なのか、エレベータ制御盤１０７なのか、或は監視カメラ１１３なのかを識別することができる。
また、かご内操作盤１１０及び避難階操作盤１１６はホスト名リスト６０６から全てのレコードか、又は乗り場操作盤１０８、監視カメラ１１３及び防災情報処理装置２０１のレコードを取得してホスト名記憶部４０５に記憶することで、後述する救助運転モードにおける種々の機能を実現できる。
【００３１】
また、入出力制御部６０１には、災害感知器インターフェース６０７が接続されている。災害感知器インターフェース６０７には、ビル内の各階に設置されている災害感知器１１２が接続されている。
更に、入出力制御部６０１には、乗り場操作盤１０８、避難階操作盤１１６及びかご内操作盤１１０との音声に因る通話機能を実現するため、音声コーデック６０８が接続され、稼働する。音声コーデック６０８は受信した音声データをアナログ音声信号に変換してスピーカ３０５を駆動し、マイク３０４から入力される音声信号に所定のエンコード処理を施して、要求されるホストに送信する。
【００３２】
図７は、監視カメラ１１３のソフトウェアの機能を示すブロック図である。
監視カメラ１１３は動画ストリームサーバを構成する。任意のホストから動画送信要求を受け取ると、当該ホストに対して動画ストリームデータを送信する。
動画はデータ量が膨大なので、撮像素子７０１から出力される動画データは動画エンコーダ７０２によって非可逆圧縮処理が施される。動画エンコーダ７０２によって圧縮された動画データは、ストリームサーバプログラム７０３を通じて要求を発したホストへ送信する。
なお、監視カメラ１１３は図示しないＤＨＣＰクライアントを内包し、防災情報処理装置２０１のＤＨＣＰサーバ６０４からネットワーク構成情報を受信して、ネットワークに接続される。
【００３３】
［乗り場操作盤１０８：ソフトウェアの機能］
図８は、乗り場操作盤１０８の機能ブロック図である。
乗り場操作盤１０８は、ＬＣＤよりなる表示部３０２と、ＬＣＤの表面を覆う透明電極の操作部３０３が重なって組み合わされることでタッチパネルを構成する。
通常の状態では、表示部３０２には通常状態表示制御部８０１が第一選択スイッチ８０２を通じて接続されると共に、操作部３０３には通常状態操作制御部８０３が第二選択スイッチ８０４を通じて接続される。
通常状態表示制御部８０１は、表示部３０２に図１２に示すかご呼び登録ボタン１２０１ｂの画像を表示させる。通常状態操作制御部８０３は、操作部３０３が出力する座標データを、かご呼び登録ボタン１２０１ｂの操作情報に変換する。また、通常状態操作制御部８０３が出力する操作情報に応じて、通常状態表示制御部８０１はかご呼び登録ボタン１２０１ｂの画像を明るく表示させ、操作が行われた旨を明示する。更に、通常状態操作制御部８０３が出力する操作情報は、ＬＡＮケーブル２０２（ネットワーク）を通じてエレベータ制御盤１０７に送信されることで、乗りかご１０４を呼ぶ。
【００３４】
第一選択スイッチ８０２には、救助要請状態表示制御部８０５も接続されている。
第二選択スイッチ８０４には、救助要請状態操作制御部８０６も接続されている。
災害信号受信部８０７が入出力制御部８０８を通じて防災情報処理装置２０１から災害信号を受信すると、災害信号受信部８０７は第一選択スイッチ８０２及び第二選択スイッチ８０４を制御する。そして、第一選択スイッチ８０２は表示部３０２に救助要請状態表示制御部８０５を接続させ、第二選択スイッチ８０４は操作部３０３に救助要請状態操作制御部８０６を接続させる。
【００３５】
救助要請状態表示制御部８０５は、表示部３０２に図１２に示す救助要請ボタン１２０１ｃの画像を表示させる。救助要請状態操作制御部８０６は、操作部３０３が出力する座標データを、救助要請ボタン１２０１ｃの操作情報に変換する。また、救助要請状態操作制御部８０６が出力する操作情報に応じて、救助要請状態表示制御部８０５は救助要請ボタン１２０１ｃの画像を明るく表示させ、操作が行われた旨を明示する。更に、救助要請状態操作制御部８０６が出力する操作情報はＡＮＤゲート８０９を通じて、救助要請信号送信部８１０と音声コーデック６０８と動画エンコーダ７０２を起動する。
ＡＮＤゲート８０９の一方の入力端子は災害信号受信部８０７に接続され、もう一方の入力端子はＯＲゲート８１１に接続される。ＯＲゲート８１１は救助要請状態操作制御部８０６の出力信号と人感センサ１１４の出力信号の論理和を出力する。つまり、救助要請ボタン１２０１ｃが押されたか人感センサ１１４が人を検出したかのいずれかのイベントが発生することによって、救助要請信号が防災情報処理装置２０１へ送信されると共に、防災情報処理装置２０１との音声通話が可能になり、更に防災情報処理装置２０１は乗り場操作盤１０８に備え付けられている撮像素子３０６が撮影する動画像データを選択的に再生することができる。
【００３６】
図９は乗り場操作盤１０８の状態遷移図である。乗り場操作盤１０８は、三つの動作状態を備える。
乗り場操作盤１０８は、通常の状態では、通常運転モードＰ９０１である。
通常運転モードＰ９０１において、乗り場操作盤１０８は防災情報処理装置２０１又はエレベータ制御盤１０７から災害信号を受信すると、救助要請待ちモードＰ９０２に移行する。
救助要請待ちモードＰ９０２において、乗り場操作盤１０８は救助要請ボタン１２０１ｃが押されたか、或は人感センサ１１４が人を検出したら、救助要請モードＰ９０３に移行する。
【００３７】
［乗り場操作盤１０８：動作の流れ］
図１０は、乗り場操作盤１０８の動作の流れを示すフローチャートである。
処理を開始すると（Ｓ１００１）、災害信号受信部８０７は内部の災害フラグが上がっているか否か、確認する（Ｓ１００２）。
災害フラグが上がっていなければ（Ｓ１００２のＮＯ）、次に災害信号受信部８０７は防災情報処理装置２０１から災害信号を受信したか否か、確認する（Ｓ１００３）。
災害信号を受信していなければ（Ｓ１００３のＮＯ）、通常運転モードＰ９０１を維持したまま終了する（Ｓ１００４）。
災害信号を受信していれば（Ｓ１００３のＹＥＳ）、災害信号受信部８０７は内部の災害フラグを上げる（Ｓ１００５）。すると、災害信号受信部８０７は論理の「真」の信号を出力するので、この信号が第一選択スイッチ８０２及び第二選択スイッチ８０４に伝達する。
第一選択スイッチ８０２はそれまで通常機能表示制御部に接続されていた表示部３０２の接続を、救助要請状態表示制御部８０５へ切り替える（Ｓ１００６）。
第二選択スイッチ８０４はそれまで通常機能操作制御部に接続されていた操作部３０３の接続を、救助要請状態操作制御部８０６へ切り替える（Ｓ１００７）。
そして、一連の処理を終了する（Ｓ１００４）。
なお、ステップＳ１００４に至ると、再びステップＳ１００１から処理を開始する。このフローチャートは短い時間間隔で定期的に実行される。
【００３８】
ステップＳ１００２において、災害フラグが上がっていれば（Ｓ１００２のＹＥＳ）、次に救助要請状態操作制御部８０６は救助要請ボタン１２０１ｃとしての操作部３０３の操作が行われたか、所定時間だけ待ち（Ｓ１００８）、確認する（Ｓ１００９）。
救助要請ボタン１２０１ｃが押されていなければ（Ｓ１００９のＮＯ）、次にＯＲゲート８１１は人感センサ１１４が人の存在を検出したか否か、確認する（Ｓ１０１０）。
救助要請状態操作制御部８０６から操作部３０３の操作が行われておらず、且つ人感センサ１１４が人を検出していなければ（Ｓ１０１０のＮＯ）、ＯＲゲート８１１は論理の「偽」を出力するので、ＡＮＤゲート８０９は論理の偽を出力する。このため、一連の処理がそのまま終了する（Ｓ１００４）。
救助要請状態操作制御部８０６から操作部３０３の操作が行われた（Ｓ１００９のＹＥＳ）か、又は人感センサ１１４が人を検出していれば（Ｓ１０１０のＹＥＳ）、ＯＲゲート８１１は論理の「真」を出力するので、ＡＮＤゲート８０９は論理の真を出力する。ＡＮＤゲート８０９の出力信号は救助要請信号送信部８１０と音声コーデック６０８と動画エンコーダ７０２を起動制御する。救助要請信号送信部８１０は防災情報処理装置２０１に対して救助要請信号を送信し（Ｓ１０１１）、音声コーデック６０８と動画エンコーダ７０２が起動することで防災センター１０３との通話機能が利用可能になり（Ｓ１０１２）、一連の処理が終了する（Ｓ１００４）。
【００３９】
［乗り場操作盤１０８：外観と表示の変化］
図１１はエレベータ乗り場の外観図である。
エレベータ乗り場１０５には、乗り場ドア１１０１と乗り場操作盤１０８と人感センサ１１４が設けられている。
図１２（ａ）及び（ｂ）は乗り場操作盤１０８の表示内容の一例を示す外観図である。
図１２（ａ）は、通常運転モードＰ９０１における乗り場操作盤１０８の外観図である。
乗り場操作盤１０８はタッチパネル１２０１を有する。通常運転時では、タッチパネル１２０１にはかご位置表示領域１２０１ａとかご呼び登録ボタン１２０１ｂが表示されている。
また、乗り場操作盤１０８は、マイク３０４とスピーカ３０５よりなる連絡装置１２０２、乗り場の状況を撮影する撮像素子３０６を有し、通常運転時ではタッチパネル１２０１にはかご位置表示領域１２０１ａとかご呼び登録ボタン１２０１ｂが表示されている。
【００４０】
図１２（ｂ）は、救助要請待ちモードＰ９０２における乗り場操作盤１０８の外観図である。
災害信号を受信すると、乗り場操作盤１０８は救助要請待ちモードＰ９０２に切り替わる。乗り場操作盤１０８が救助要請待ちモードＰ９０２に切り替わると、かご呼び登録ボタン１２０１ｂが消え、代わりに救助要請ボタン１２０１ｃが表示される。
救助要請ボタン１２０１ｃを押すと、乗り場操作盤１０８は救助要請モードＰ９０３に切り替わる。すると、救助要請ボタン１２０１ｃの表示はより明るくなり、連絡装置１２０２が利用可能になり、撮像素子３０６及び動画エンコーダ７０２が起動して、カメラ機能を実現する。連絡装置１２０２は、防災センター１０３と、後述する乗りかご１０４との会話を実現する。
【００４１】
後述するように、かご内操作盤１１０も連絡装置を備える。乗り場操作盤１０８の連絡装置１２０２と区別するため、前者を第一連絡装置、後者を第二連絡装置と呼ぶこともできる。
更に、避難階操作盤１１６も連絡装置が備える。これを第三連絡装置と呼ぶこともできる。
【００４２】
［かご内操作盤１１０：ソフトウェアの機能］
図１３は、かご内操作盤１１０の機能ブロック図である。
かご内操作盤１１０は、ＬＣＤよりなる表示部４０２と、ＬＣＤの表面を覆う透明電極の操作部４０３が組み合わされることでタッチパネルを構成する。
通常の状態では、表示部４０２及び操作部４０３には通常時制御部１３０１が第三選択スイッチ１３０２を通じて接続される。
通常時制御部１３０１は、表示部４０２に行き先階指定ボタンの画像を表示させる。通常時制御部１３０１は、操作部４０３が出力する座標データを、行き先階指定ボタンの操作情報に変換する。そして、行き先階指定ボタンの操作情報に応じて、通常時制御部１３０１は行き先階指定ボタンの該当箇所の画像を明るく表示させ、操作が行われた旨を明示する。更に、通常時制御部１３０１が出力する操作情報は、ＬＡＮケーブル２０２（ネットワーク）を通じてエレベータ制御盤１０７に送信されることで、乗りかご１０４を制御する。
【００４３】
災害信号受信部８０７が入出力制御部１３０３を通じて防災情報処理装置２０１から災害信号を受信すると、入出力制御部１３０３は災害信号受信部８０７の受信結果を受けて第三選択スイッチ１３０２を制御する。そして、第三選択スイッチ１３０２は表示部４０２及び操作部４０３をログイン処理部１３０４に接続する。
ログイン処理部１３０４には指紋スキャナ等の、個人認証情報を入力するための個人認証情報入力部１３０５が接続される場合もある。ログイン処理部１３０４は、操作部４０３或は個人認証情報入力部１３０５から個人認証情報を受け取ると、ユーザマスタ１３０８を参照し、ユーザマスタ１３０８に登録されている正当な操作者であるか否かを確認する。確認の結果、正当な操作者であると判明したら、入出力制御部１３０３はログイン処理部１３０４の認証結果を受けて第三選択スイッチ１３０２を制御する。そして、第三選択スイッチ１３０２は表示部４０２及び操作部４０３を救助運転制御部１３０６に接続する。
【００４４】
ユーザマスタ１３０８は、エレベータ制御盤１０７又は防災情報処理装置２０１に備えられているユーザマスタ１３０８を受信して、図示しないＲＡＭ内に記憶することで形成される。
【００４５】
救助運転制御部１３０６は、表示部４０２にメニュー画面を表示させて、救助運転のための様々な機能を提供する。また、救助運転制御部１３０６は音声コーデック６０８を起動させて、防災情報処理装置２０１や乗り場操作盤１０８との通話機能を実現させると共に、救助運転状態送信部１３０７を起動させて、防災情報処理装置２０１に現在のかご内操作盤１１０が救助運転モードであることを報告する。
【００４６】
図１４はかご内操作盤１１０の状態遷移図である。かご内操作盤１１０は、三つの動作状態を備える。
かご内操作盤１１０は、通常の状態では、通常運転モードＰ１４０１である。
通常運転モードＰ１４０１において、かご内操作盤１１０は防災情報処理装置２０１又はエレベータ制御盤１０７から災害信号を受信すると、特殊運転モードＰ１４０２に移行し、タッチパネルを構成する表示部４０２はログイン画面を表示する。
特殊運転モードＰ１４０２において、かご内操作盤１１０は個人認証が失敗すると、特殊運転モードＰ１４０２に戻り、表示部４０２は再びログイン画面を表示する。
特殊運転モードＰ１４０２において、かご内操作盤１１０は個人認証が成功すると、救助運転モードＰ１４０３に移行する。
救助運転モードＰ１４０３において、乗りかご１０４が避難階に到着すると、特殊運転モードＰ１４０２に移行する。
【００４７】
［かご内操作盤１１０：動作の流れ］
図１５は、かご内操作盤１１０の動作の流れを示すフローチャートである。
処理を開始すると（Ｓ１５０１）、災害信号受信部８０７は内部の災害フラグが上がっているか否か、確認する（Ｓ１５０２）。
災害フラグが上がっていなければ（Ｓ１５０２のＮＯ）、次に災害信号受信部８０７は防災情報処理装置２０１から災害信号を受信したか否か、確認する（Ｓ１５０３）。
災害信号を受信していなければ（Ｓ１５０３のＮＯ）、通常運転モードＰ１４０１を維持したまま終了する（Ｓ１５０４）。
災害信号を受信していれば（Ｓ１５０３のＹＥＳ）、災害信号受信部８０７は内部の災害フラグを上げる（Ｓ１５０５）。すると、災害信号受信部８０７は論理の「真」の信号を出力するので、この信号が入出力制御部１３０３に伝達する。
入出力制御部１３０３は第三選択スイッチ１３０２を制御する。第三選択スイッチ１３０２はそれまで通常時制御部１３０１に接続されていた表示部４０２及び操作部４０３の接続を、ログイン処理部１３０４へ切り替える。すると、表示部４０２にはログイン画面が表示され（Ｓ１５０６）、操作部４０３の機能も切り替わり（Ｓ１５０７）、一連の処理を終了する（Ｓ１５０４）。
なお、ステップＳ１５０４に至ると、再びステップＳ１５０１から処理を開始する。このフローチャートは短い時間間隔で定期的に実行される。
【００４８】
ステップＳ１５０２において、災害フラグが上がっていれば（Ｓ１５０２のＹＥＳ）、次にログイン処理部１３０４は災害運転処理を実行して（Ｓ１５０８）、一連の処理を終了する（Ｓ１５０４）。そして、再びステップＳ１５０１から処理を開始する。
【００４９】
図１６は、災害運転処理の動作の流れを示すフローチャートである。図１５のステップＳ１５０８の詳細である。
処理を開始すると（Ｓ１６０１）、入出力制御部１３０３は、自身に内包するかご内救助フラグが論理の真を示しているか否かを確認する（Ｓ１６０２）。
かご内救助フラグが論理の偽であれば（Ｓ１６０２のＮＯ）、次に入出力制御部１３０３は、自身に内包する避難階救助フラグが論理の真を示しているか否かを確認する（Ｓ１６０３）。避難階救助フラグは、後述する避難階操作盤１１６の認証報告部１９０５から正常に認証が行われた旨の報告を受けると、論理の真に設定される。
避難階救助フラグが論理の偽であれば（Ｓ１６０３のＮＯ）、次に入出力制御部１３０３は、操作部４０３或は個人認証情報入力部１３０５から個人認証情報が入力されたか、所定時間だけ待ち（Ｓ１６０４）、確認する（Ｓ１６０５）。
個人認証情報が入力されていなければ（Ｓ１６０５のＮＯ）、一連の処理をそのまま終了する（Ｓ１６０６）。
個人認証情報が入力されていれば（Ｓ１６０５のＹＥＳ）、ログイン処理部１３０４はログイン処理を行う（Ｓ１６０７）。その結果、ログインが成功したら（Ｓ１６０８のＹＥＳ）、ログイン処理部１３０４はその旨を入出力制御部１３０３に報告する。入出力制御部１３０３はこれを受けて、かご内救助フラグを論理の真に設定して（Ｓ１６０９）、一連の処理を終了する（Ｓ１６０６）。
ステップＳ１６０８において、ログインが失敗したら（Ｓ１６０８のＮＯ）、ログイン処理部１３０４は表示部４０２にエラー画面を表示させて（Ｓ１６１０）、一連の処理を終了する（Ｓ１６０６）。
【００５０】
ステップＳ１６０３において、避難階救助フラグが論理の真を示していれば（Ｓ１６０３のＹＥＳ）、次に入出力制御部１３０３は、かご内救助フラグを論理の真に設定して（Ｓ１６１１）、第三選択スイッチ１３０２を制御し、表示部４０２及び操作部４０３を救助運転制御部１３０６に接続して救助運転モードＰ１４０３を遂行する（Ｓ１６１２）。そして一連の処理を終了する（Ｓ１６０６）。
【００５１】
ステップＳ１６０２において、かご内救助フラグが論理の真を示していれば（Ｓ１６０２のＹＥＳ）、次に入出力制御部１３０３は、現在乗りかご１０４が避難階に到着したか否かを確認する（Ｓ１６１３）。乗りかご１０４が避難階に到着したのであれば（Ｓ１６１３のＹＥＳ）、入出力制御部１３０３はかご内救助フラグを下ろして第三選択スイッチ１３０２を制御し、表示部４０２及び操作部４０３をログイン処理部１３０４に接続する（Ｓ１６１４）。そして一連の処理を終了する（Ｓ１６０６）。
【００５２】
かご内救助フラグは、論理の真に設定されている時には、かご内操作盤１１０が救助運転モードＰ１４０３になる。
そして、かご内救助フラグは、乗りかご１０４が避難階に到着すると、論理の偽に設定され、かご内操作盤１１０がログイン画面を表示する特殊運転モードＰ１４０２に戻る。乗りかご１０４が避難階に到着することに呼応して、かご内救助フラグはリセットされる。
かご内救助フラグが論理の真に設定されるケースは二つある。一つは、かご内操作盤１１０のログイン処理部１３０４によって、正常に認証された時である（Ｓ１６０４→Ｓ１６０５→Ｓ１６０７→Ｓ１６０８→Ｓ１６０９）。もう一つは、後述する避難階操作盤１１６のログイン処理部によって、正常に認証された時である。
乗りかご１０４が移動している最中、或は乗りかご１０４が避難階に到着して乗り場ドア１１０１を閉じている時に、専門の担当者が避難階操作盤１１６を操作して、正常に認証された場合、認証操作を行った専門の担当者が乗りかご１０４に乗って、直ちに救助運転モードＰ１４０３でエレベータ装置１０２が稼働する必要がある。この動作を実現するため、かご内操作盤１１０の動作状態を決定するかご内救助フラグとは別に、避難階操作盤１１６を操作して正常に認証されたことを記憶するためのフラグとして、避難階救助フラグを設けた。
一旦論理の真に設定されたかご内救助フラグは、乗りかご１０４が避難階に到着するとリセットされる（Ｓ１６０２のＹＥＳ→Ｓ１６１３→Ｓ１６１４）。しかし、避難階救助フラグが論理の真に設定されていれば、次のループ処理でかご内救助フラグを論理の真に設定し、救助運転モードに入る（Ｓ１６０２のＮＯ→Ｓ１６１１→Ｓ１６１２）。
【００５３】
［かご内操作盤１１０：外観と表示の変化］
図１７は乗りかご１０４の内部の外観図である。
図１８（ａ）、（ｂ）及び（ｃ）はかご内操作盤１１０の表示内容の一例を示す外観図である。
乗りかご１０４の出入口戸１７０１の右端には、かご内操作盤１１０が設けられている。
かご内操作盤１１０はタッチパネル１７０２を有する。通常運転時では、タッチパネル１７０２には行き先階登録ボタン１８０１が表示されている。
タッチパネル１７０２の下には、出入口戸１７０１を開閉させるためのドア開閉ボタン１７０３が設けられている。
タッチパネル１７０２の上には、非常時に外部と連絡をとるための非常ボタン１７０４が設けられている。
【００５４】
図１８（ａ）は、通常運転モードＰ１４０１におけるかご内操作盤１１０の外観図である。
通常運転時では、タッチパネル１７０２には行き先階登録ボタン１８０１が表示されている。
図１８（ｂ）は、特殊運転モードＰ１４０２におけるかご内操作盤１１０の外観図である。
災害信号を受信すると、かご内操作盤１１０は特殊運転モードＰ１４０２に切り替わる。かご内操作盤１１０が特殊運転モードＰ１４０２に切り替わると、行き先階登録ボタン１８０１が消え、代わりに暗証番号入力画面１８０２が表示される。暗証番号入力画面１８０２には暗証番号を入力するためのテンキー１８０３と、暗証番号の入力状態を確認するモニタ欄１８０４が表示されている。
【００５５】
図１８（ｃ）は、救助運転モードＰ１４０３におけるかご内操作盤１１０の外観図である。
暗証番号入力画面１８０２にてテンキー１８０３を用いて暗証番号を入力し、個人認証が成功すると、かご内操作盤１１０は救助運転モードＰ１４０３に切り替わる。すると、非常ボタン１７０４を押さなくとも連絡装置１２０２が利用可能になり、タッチパネル１７０２にはメニュー画面１８０５が表示される。連絡装置１２０２は防災センター１０３と、後述する乗りかご１０４との会話を実現する。また、タッチパネル１７０２を通じて乗り場操作盤１０８に備え付けられている撮像素子３０６が撮影する動画像を、選択的に表示させることができる。
【００５６】
乗り場操作盤１０８に備え付けられている撮像素子３０６が撮影する動画像を選択的に表示するには、複数設けられている乗り場操作盤１０８の中から一つを選択して、通信を実現する必要がある。そのため、かご内操作盤１１０にはホスト名記憶部４０５が設けられている。選択した階の乗り場操作盤１０８のホスト名をホスト名記憶部４０５から取り出し、防災情報処理装置２０１のＤＮＳサーバ６０５に名前解決を要求すると、選択した階の乗り場操作盤１０８のＩＰアドレスを得ることができる。したがって、かご内操作盤１１０は、監視カメラ１１３と同様に、選択した階の乗り場操作盤１０８から動画像データを受信できる。
【００５７】
［避難階操作盤１１６：ソフトウェアの機能］
図１９は、避難階操作盤１１６の機能ブロック図である。
避難階操作盤１１６は、ＬＣＤよりなる表示部３０２と、ＬＣＤの表面を覆う透明電極の操作部３０３が組み合わされることでタッチパネルを構成する。
通常の状態では、表示部３０２及び操作部３０３には通常時制御部１９０１が第四選択スイッチ１９０２を通じて接続される。
通常時制御部１９０１は、表示部３０２にかご呼び登録ボタンの画像を表示させる。通常時制御部１９０１は、操作部３０３が出力する座標データを、かご呼び登録ボタンの操作情報に変換する。そして、かご呼び登録ボタンの操作情報に応じて、通常時制御部１９０１はかご呼び登録ボタンの画像を明るく表示させ、操作が行われた旨を明示する。更に、通常時制御部１９０１が出力する操作情報は、ＬＡＮケーブル２０２（ネットワーク）を通じてエレベータ制御盤１０７に送信されることで、乗りかご１０４を呼ぶ。
【００５８】
災害信号受信部８０７が入出力制御部１９０３を通じて防災情報処理装置２０１から災害信号を受信すると、災害信号受信部８０７は第四選択スイッチ１９０２を制御する。そして、第四選択スイッチ１９０２は表示部３０２及び操作部３０３をログイン処理部１９０４に接続する。
ログイン処理部１９０４には指紋スキャナ等の、個人認証情報を入力するための個人認証情報入力部１３０５が接続される場合もある。ログイン処理部１９０４は、操作部３０３或は個人認証情報入力部１３０５から個人認証情報を受け取ると、ユーザマスタ１３０８を参照し、ユーザマスタ１３０８に登録されている正当な操作者であるか否かを確認する。確認の結果、正当な操作者であると判明したら、ログイン処理部１９０４は正常に認証されたことを示すメッセージを表示部３０２に表示する。また、音声コーデック６０８を起動させて、防災情報処理装置２０１やかご内操作盤１１０との通話機能を実現させる。更に、認証報告部１９０５を起動させて、かご内操作盤１１０に認証が正常に行われた旨を報告する。
【００５９】
ユーザマスタ１３０８は、エレベータ制御盤１０７又は防災情報処理装置２０１に備えられているユーザマスタ１３０８を受信して、図示しないＲＡＭ内に記憶することで形成される。
【００６０】
図２０は避難階操作盤１１６の状態遷移図である。避難階操作盤１１６は、三つの動作状態を備える。
避難階操作盤１１６は、通常の状態では、通常運転モードＰ２００１である。
通常運転モードＰ２００１において、避難階操作盤１１６は防災情報処理装置２０１又はエレベータ制御盤１０７から災害信号を受信すると、特殊運転モードＰ２００２に移行し、タッチパネルを構成する表示部３０２はログイン画面を表示する。
特殊運転モードＰ２００２において、避難階操作盤１１６は個人認証が失敗すると、特殊運転モードＰ２００２に戻り、表示部３０２は再びログイン画面を表示する。
特殊運転モードＰ２００２において、避難階操作盤１１６は個人認証が成功すると、救助運転モードＰ２００３に移行する。
救助運転モードＰ２００３において、乗りかご１０４が避難階に到着すると、特殊運転モードＰ２００２に移行する。
【００６１】
［避難階操作盤１１６：動作の流れ］
図２１は、避難階操作盤１１６の動作の流れを示すフローチャートである。
処理を開始すると（Ｓ２１０１）、災害信号受信部８０７は内部の災害フラグが上がっているか否か、確認する（Ｓ２１０２）。
災害フラグが上がっていなければ（Ｓ２１０２のＮＯ）、次に災害信号受信部８０７は防災情報処理装置２０１から災害信号を受信したか否か、確認する（Ｓ２１０３）。
災害信号を受信していなければ（Ｓ２１０３のＮＯ）、通常運転モードＰ２００１を維持したまま終了する（Ｓ２１０４）。
災害信号を受信していれば（Ｓ２１０３のＹＥＳ）、災害信号受信部８０７は内部の災害フラグを上げる（Ｓ２１０５）。すると、災害信号受信部８０７は論理の「真」の信号を出力するので、この信号が入出力制御部１９０３に伝達される。
入出力制御部１９０３は第四選択スイッチ１９０２を制御する。第四選択スイッチ１９０２はそれまで通常時制御部１９０１に接続されていた表示部３０２及び操作部３０３の接続を、ログイン処理部１９０４へ切り替える。すると、表示部３０２にはログイン画面が表示され（Ｓ２１０６）、操作部３０３の機能も切り替わり（Ｓ２１０７）、一連の処理を終了する（Ｓ２１０４）。
なお、ステップＳ２１０４に至ると、再びステップＳ２１０１から処理を開始する。このフローチャートは短い時間間隔で定期的に実行される。
【００６２】
ステップＳ２１０２において、災害フラグが上がっていれば（Ｓ２１０２のＹＥＳ）、次にログイン処理部１９０４は災害運転処理を実行して（Ｓ２１０８）、一連の処理を終了する（Ｓ２１０４）。そして、再びステップＳ２１０１から処理を開始する。
【００６３】
図２２は、災害運転処理の動作の流れを示すフローチャートである。図２１のステップＳ２１０８の詳細である。
処理を開始すると（Ｓ２２０１）、入出力制御部１９０３は、自身に内包するログイン済みフラグが論理の真を示しているか否かを確認する（Ｓ２２０２）。
ログイン済みフラグが論理の偽であれば（Ｓ２２０２のＮＯ）、次に入出力制御部１９０３は、操作部３０３或は個人認証情報入力部１３０５から個人認証情報が入力されたか、所定時間だけ待ち（Ｓ２２０４）、確認する（Ｓ２２０５）。
【００６４】
個人認証情報が入力されていなければ（Ｓ２２０５のＮＯ）、一連の処理をそのまま終了する（Ｓ２２０６）。
個人認証情報が入力されていれば（Ｓ２２０５のＹＥＳ）、ログイン処理部１９０４はログイン処理を行う（Ｓ２２０７）。その結果、ログインが成功したら（Ｓ２２０８のＹＥＳ）、ログイン処理部１９０４はその旨を入出力制御部１９０３に報告する。入出力制御部１９０３はこれを受けて、ログイン済みフラグを論理の真に設定して（Ｓ２２０９）、一連の処理を終了する（Ｓ２２０６）。
ステップＳ２２０８において、ログインが失敗したら（Ｓ２２０８のＮＯ）、ログイン処理部１９０４は表示部３０２にエラー画面を表示させて（Ｓ２２１０）、一連の処理を終了する（Ｓ２２０６）。
【００６５】
ステップＳ２２０２において、ログイン済みフラグが論理の真を示していれば（Ｓ２２０２のＹＥＳ）、次に入出力制御部１９０３は、現在乗りかご１０４が避難階に到着したか否かを確認する（Ｓ２２１１）。
乗りかご１０４が避難階に到着したのであれば（Ｓ２２１１のＹＥＳ）、入出力制御部１９０３はログイン画面を表示して（Ｓ２２１２）、ログイン済みフラグを下ろす（Ｓ２２１３）。そして一連の処理を終了する（Ｓ２２０６）。
ステップＳ２２１１にて乗りかご１０４が避難階に到着していなければ（Ｓ２２１１のＮＯ）、入出力制御部１９０３はログイン済画面を表示して（Ｓ２２１４）、一連の処理を終了する（Ｓ２２０６）。
【００６６】
ログイン済みフラグは、論理の真に設定されている時には、避難階操作盤１１６が救助運転モードＰ２００３になる。
そして、ログイン済みフラグは、乗りかご１０４が避難階に到着すると、論理の偽に設定され、避難階操作盤１１６がログイン画面を表示する特殊運転モードＰ２００２に戻る。乗りかご１０４が避難階に到着することに呼応して、ログイン済みフラグはリセットされる。
ログイン済みフラグは、避難階操作盤１１６のログイン処理部１９０４によって正常に認証された時に、論理の真に設定される（Ｓ２２０４→Ｓ２２０５→Ｓ２２０７→Ｓ２２０８→Ｓ２２０９）。そして、次のループで、乗りかご１０４が移動している場合（Ｓ２２１１のＮＯ）は、正常に個人認証が行われた旨を示すログイン済画面を表示する（Ｓ２２１４）。
一旦論理の真に設定されたログイン済みフラグは、乗りかご１０４が避難階に到着するとリセットされる（Ｓ２２０２のＹＥＳ→Ｓ２２１１→Ｓ２２１４）。
【００６７】
［避難階操作盤１１６：外観と表示の変化］
図２３は避難階におけるエレベータ乗り場１０５の外観図である。
図２４（ａ）、（ｂ）及び（ｃ）は避難階操作盤１１６の表示内容の一例を示す外観図である。
避難階のエレベータ乗り場１０５には、乗り場ドア１１０１と乗り場操作盤１０８が設けられている。他の階のエレベータ乗り場１０５とは異なり、人感センサ１１４が存在しない。
図２４（ａ）は、通常運転モードＰ２００１における避難階操作盤１１６の外観図である。
避難階操作盤１１６はタッチパネル１２０１を有する。通常運転時では、タッチパネル１２０１にはかご位置表示領域２４０１とかご呼び登録ボタン２４０２が表示されている。
また、乗り場操作盤１０８は、マイク３０４とスピーカ３０５よりなる連絡装置１２０２を有し、通常運転時ではタッチパネル１２０１にはかご位置表示領域２４０１とかご呼び登録ボタン２４０２が表示されている。
【００６８】
図２４（ｂ）は、特殊運転モードＰ２００２における避難階操作盤１１６の外観図である。
災害信号を受信すると、避難階操作盤１１６は特殊運転モードＰ２００２に切り替わる。避難階操作盤１１６が特殊運転モードＰ２００２に切り替わると、かご呼び登録ボタン２４０２が消え、代わりに暗証番号入力画面２４０３が表示される。暗証番号入力画面２４０３には暗証番号を入力するためのテンキー２４０４と、暗証番号の入力状態を確認するモニタ欄２４０５が表示されている。また、かご位置表示領域２４０１は縮小表示される。
【００６９】
図２４（ｃ）は、救助運転モードＰ２００３における避難階操作盤１１６の外観図である。
暗証番号入力画面２４０３にてテンキー２４０４を用いて暗証番号を入力し、個人認証が成功すると、避難階操作盤１１６は救助運転モードＰ２００３に切り替わる。すると、正常認証画面２４０６と、連絡装置１２０２を利用するためのインターホンボタン２４０７が表示される。そして、連絡装置１２０２が利用可能になる。連絡装置１２０２は防災センター１０３と、乗りかご１０４との会話を実現する。
【００７０】
本実施形態では以下の応用例が可能である。
（１）エレベータシステム１０１をビルに導入する際、ビルの規模やエレベータシステム１０１の導入コストに応じて、一部の機能を外すことができる。例えば、乗り場操作盤１０８の連絡装置１２０２と撮像素子３０６、そして人感センサ１１４は、比較的小規模のビルであれば省略しても差し支えない。人感センサ１１４がなくなる場合、ＯＲゲート８１１も不要になる。
【００７１】
（２）かご内操作盤１１０のログイン処理部１３０４と、避難階操作盤１１６のログイン処理部１９０４は、個人認証処理の際にユーザマスタ１３０８を参照するが、ユーザマスタ１３０８は必ずしもかご内操作盤１１０及び避難階操作盤１１６が持っている必要はない。例えば、周知のＮＦＳ（Network File System）やＣＩＦＳ（Common Internet File System）を用いて、防災情報処理装置２０１が持っているユーザマスタ１３０８をネットワークファイルアクセスにて読み出してもよい。
【００７２】
（３）本実施形態のエレベータシステム１０１では、乗りかご１０４が避難階に到着して、乗客を降ろしたら乗り場ドア１１０１を閉じる仕様になっている。このため、一旦乗り場ドア１１０１が閉じた後、専門の担当者が再びエレベータ装置１０２を救助活動のために利用するには、避難階操作盤１１６で個人認証操作を行わなければ、乗り場ドア１１０１が開かない。
しかし、乗りかご１０４が避難階に到着して、乗客を降ろしたら乗り場ドア１１０１を開け放したままの仕様にすれば、避難階操作盤１１６で個人認証操作を行う必要がなくなる。その代わり、専門の担当者が再びエレベータ装置１０２を救助活動のために利用するには、かご内操作盤１１０で個人認証操作を行うこととなる。エレベータシステム１０１をこのような仕様にすると、避難階操作盤１１６は特殊運転モードＰ２００２を設ける必要がなくなり、かご内操作盤１１０は避難階救助フラグを設ける必要がなくなるので、よりシンプルな動作になる。
【００７３】
（４）本実施形態に掛かるエレベータシステム１０１は、以下のような構成にすることもできる。
《１》本実施形態に掛かるエレベータシステムは、
乗客をエレベータ乗り場へ搬送する乗りかごと、
前記乗りかごと主ロープで連結される釣り合いおもりと、
前記主ロープを通じて前記乗りかごを駆動する巻上機と、
災害を検出して災害信号を発生する災害信号発生源と、
前記乗りかごが到着するエレベータ乗り場に設けられ、所望の階に移動するために前記乗りかごを呼び出すかご呼び登録ボタンを有する乗り場操作盤と、
前記乗りかご内に設けられ、通常動作時は所望の階へ移動するための行き先階登録ボタンを表示し、前記災害信号発生源から前記災害信号を受信したら特定の操作者の操作を受け付けるための個人認証を実行し、前記個人認証が成功したら所望の階へ移動するための行き先階登録ボタン及び各階の被災状況を確認する機能を呼び出す被災状況確認ボタンを表示する、タッチパネルよりなるかご内操作盤と、
前記かご内操作盤及び乗り場操作盤に接続されており、前記かご内操作盤の指示に従って前記巻上機を駆動制御するエレベータ制御盤と
を具備するエレベータシステムである。
《２》前記かご内操作盤は更に、選択した場所に設置されている監視カメラを通じて動画像にてモニタする機能を具備する、《１》記載のエレベータシステムである。
《３》更に、
前記かご内操作盤に設けられて、外部との連絡を実現する第一連絡装置と、
前記乗り場操作盤に設けられて、外部との連絡を実現する第二連絡装置と
を具備し、
前記被災状況確認ボタンの操作に基づいて前記第一連絡装置と前記第二連絡装置とが連絡可能に構成されている、《２》記載のエレベータシステムである。
【００７４】
《４》本実施形態に掛かるエレベータシステムは、
乗客をエレベータ乗り場へ搬送する乗りかごと、
前記乗りかご内に設けられ、所望の階へ移動するための行き先階登録ボタンを有するかご内操作盤と、
前記乗りかごと主ロープで連結される釣り合いおもりと、
前記主ロープを通じて前記乗りかごを駆動する巻上機と、
災害を検出して災害信号を発生する災害信号発生源と、
前記乗りかごが到着するエレベータ乗り場に設けられ、通常動作時は所望の階に移動するために前記乗りかごを呼び出すかご呼び登録ボタンを表示し、前記災害信号発生源から前記災害信号を受信したら避難階へ移動するために前記乗りかごを呼び出す救助要請ボタンを表示し、前記救助要請ボタンが押されたら救助要請信号を出力する、タッチパネルよりなる乗り場操作盤と、
前記かご内操作盤及び乗り場操作盤に接続されており、前記通常動作時は前記かご内操作盤の指示に従って前記巻上機を駆動制御すると共に、前記救助要請信号を受信した時は前記救助要請ボタンが押された前記乗り場操作盤のある階へ前記乗りかごを移動させるべく前記巻上機を駆動制御するエレベータ制御盤と
を具備するエレベータシステムである。
《５》前記乗り場操作盤は更に、前記災害信号を受信した際、前記エレベータ乗り場に設けられた人感センサが人の存在を検出すると、前記救助要請信号を出力する、《４》記載のエレベータシステムである。
《６》更に、
前記乗り場操作盤に設けられて前記救助要請信号が出力された際に起動する連絡装置と、
前記乗り場操作盤に設けられて前記救助要請信号が出力された際に起動する撮像素子と
を具備する、《４》又は《５》記載のエレベータシステムである。
【００７５】
本実施形態では、エレベータシステムを開示した。
災害発生時に積極的にエレベータを使用する場合、既存の固定的な操作パネルでは災害に対して適切な対応が困難である。本実施形態のエレベータシステムは、乗り場操作盤、避難階操作盤及びかご内操作盤にタッチパネルを採用することで、全く異なる機能を要求されるシチュエーションに対しても、ボタンやスイッチの数を増やすことなく柔軟な対応ができる。
【００７６】
また、避難階操作盤及びかご内操作盤に個人認証機能を追加して、特定の担当者だけが操作できるように構成することで、エレベータを適切に救助活動に利用することができる。
【００７７】
以上、本発明の実施形態例について説明したが、本発明は上記実施形態例に限定されるものではなく、特許請求の範囲に記載した本発明の要旨を逸脱しない限りにおいて、他の変形例、応用例を含む。
【符号の説明】
【００７８】
１０１…エレベータシステム、１０２…エレベータ装置、１０３…防災センター、１０５…エレベータ乗り場、１０６…巻上機、１０７…エレベータ制御盤、１０８…乗り場操作盤、１０９…主ロープ、１１０…かご内操作盤、１１１…テールコード、１１２…災害感知器、１１３…監視カメラ、１１４…人感センサ、１１５…エレベータ乗り場、１１６…避難階操作盤、２０１…防災情報処理装置、２０２…ＬＡＮケーブル、３０１…マイコン、３０２…表示部、３０３…操作部、３０４…マイク、３０５…スピーカ、３０６…撮像素子、３０７…階数情報記憶部、３０８…防災センター記憶部、４０１…マイコン、４０２…表示部、４０３…操作部、４０４…識別情報記憶部、４０５…ホスト名記憶部、５０１…マイコン、６０１…入出力制御部、６０２…表示部、６０３…操作部、６０４…ＤＨＣＰサーバ、６０５…ＤＮＳサーバ、６０６…ホスト名リスト、６０７…災害感知器インターフェース、６０８…音声コーデック、７０１…撮像素子、７０２…動画エンコーダ、７０３…ストリームサーバプログラム、８０１…通常状態表示制御部、８０２…第一選択スイッチ、８０３…通常状態操作制御部、８０４…第二選択スイッチ、８０５…救助要請状態表示制御部、８０６…救助要請状態操作制御部、８０７…災害信号受信部、８０８…入出力制御部、８０９…ＡＮＤゲート、８１０…救助要請信号送信部、８１１…ＯＲゲート、１１０１…乗り場ドア、１２０１…タッチパネル、１２０１ａ…かご位置表示領域、１２０１ｂ…かご呼び登録ボタン、１２０１ｃ…救助要請ボタン、１２０２…連絡装置、１３０１…通常時制御部、１３０２…第三選択スイッチ、１３０３…入出力制御部、１３０４…ログイン処理部、１３０５…個人認証情報入力部、１３０６…救助運転制御部、１３０７…救助運転状態送信部、１３０８…ユーザマスタ、１７０１…出入口戸、１７０２…タッチパネル、１７０３…ドア開閉ボタン、１７０４…非常ボタン、１８０１…行き先階登録ボタン、１８０２…暗証番号入力画面、１８０３…テンキー、１８０４…モニタ欄、１８０５…メニュー画面、１９０１…通常時制御部、１９０２…第四選択スイッチ、１９０３…入出力制御部、１９０４…ログイン処理部、１９０５…認証報告部、２４０１…かご位置表示領域、２４０２…かご呼び登録ボタン、２４０３…暗証番号入力画面、２４０４…テンキー、２４０５…モニタ欄、２４０６…正常認証画面、２４０７…インターホンボタン
【図１】
0005683019.tif 000002
【図２】
0005683019.tif 000003
【図３】
0005683019.tif 000004
【図４】
0005683019.tif 000005
【図５】
0005683019.tif 000006
【図６】
0005683019.tif 000007
【図７】
0005683019.tif 000008
【図８】
0005683019.tif 000009
【図９】
0005683019.tif 000010
【図１０】
0005683019.tif 000011
【図１１】
0005683019.tif 000012
【図１２】
0005683019.tif 000013
【図１３】
0005683019.tif 000014
【図１４】
0005683019.tif 000015
【図１５】
0005683019.tif 000016
【図１６】
0005683019.tif 000017
【図１７】
0005683019.tif 000018
【図１８】
0005683019.tif 000019
【図１９】
0005683019.tif 000020
【図２０】
0005683019.tif 000021
【図２１】
0005683019.tif 000022
【図２２】
0005683019.tif 000023
【図２３】
0005683019.tif 000024
【図２４】
0005683019.tif 000025